(57)【要約】【課題】タッチパネル型の入力装置を備えた書籍表示端末や新聞表示端末などのタッチパネル型情報処理端末において、片手で容易に端末操作が行える方法を提供する。【解決手段】情報処理端末に電子ペーパーなどで構成される表示部、及びタッチパネル型の入力装置を備える。表示部は、第１の表示領域と第２の表示領域からなる２つの表示領域に分割して管理する。また、タッチパネルの任意の位置にソフトキーを表示し、前記ソフトキーへの入力結果に基づき前記第１の表示領域、あるいは前記第２の表示領域のいずれに対する操作であるかを判定し、各々の表示領域に対する表示処理を実行する。これにより、１つのソフトキーに対する入力により、第１の表示領域、第２の表示領域の両方を操作することが可能となる。【選択図】図１
2011028409.tif 000002
【特許請求の範囲】
【請求項１】
情報を表示する表示部と、
前記表示部の前面に配され、後方の表示部が表示する情報を前面に透過するとともに、外部からの入力を検出する入力検出部と、
前記外部からの入力を検出すると、前記タッチパネルへの入力があった領域の近傍に、ソフトキーを表示すると共に、前記ソフトキーへの入力に基づき前記表示部に表示する情報を変更する表示処理部と、
前記ソフトキーへの入力に基づき、前記表示部に対する第１の表示処理と第２の表示処理のいずれかを選択し、前記表示部に表示処理を指示する入力判定処理部と、
を備えることを特徴とするタッチパネル型情報処理端末。
【請求項２】
前記表示部は、
情報を縦方向に表示する第１の表示領域と、情報を横方向に表示する第２の表示領域の少なくとも２つの表示領域を備えることを特徴とする請求項１記載のタッチパネル型情報処理端末。
【請求項３】
前記表示処理部は、
前記第１の表示領域に対する前記第１の表示処理を実施する第１の表示処理部と、前記第２の表示領域に対する前記第２の表示処理を実施する第２の表示処理部の少なくとも２つの表示処理部を備えることを特徴とする請求項２記載のタッチパネル型情報処理端末。
【請求項４】
前記入力判定処理部は、
前記ソフトキーへの入力があると、当該入力を４方向のいずれの入力かを決定し、該４方向の内、任意の２方向に該当する場合には前記第１の表示処理部に表示処理を指示し、該任意の２方向以外に該当する場合には前記第２の表示処理部に表示処理を指示することを特徴とする請求項３記載のタッチパネル型情報処理端末。
【請求項５】
前記第１の表示領域は、
対象情報の概要を示す情報、あるいは対象情報を識別する情報のいずれかを表示することを特徴とする請求項２記載のタッチパネル型情報処理端末。
【請求項６】
前記第２の表示領域は、
対象情報の詳細内容を示す情報を表示することを特徴とする請求項２記載のタッチパネル型情報処理端末。
【請求項７】
前記入力判定処理部は、
前記ソフトキーへの入力に基づき、当該入力を４方向のいずれかの入力に変換する４方向キーと、当該入力を始点、終点を持つベクトル入力に変換するベクトルキーと、のいずれかのキー種別を決定することを特徴とする請求項１記載のタッチパネル型情報処理端末。
【請求項８】
前記入力判定処理部は、
前記ソフトキーへ入力された始点、終点の情報を基に、前記始点と終点の間の距離が所定の閾値以上である場合に前記ベクトルキーであると判定し、
前記始点と終点の間の距離が所定の閾値未満である場合に前記４方向キーであると判定することを特徴とする請求項７記載のタッチパネル型情報処理端末。
【請求項９】
前記表示処理部は、
前記入力判定処理部が４方向キーであると判定した場合には１画面分移動した場所に存在する情報を表示する前記第１の表示処理を実施し、
前記入力判定処理部がベクトルキーであると判定した場合には複数画面分移動した場所に存在する情報を表示する前記第２の表示処理を実施することを特徴とする請求項８記載のタッチパネル型情報処理端末。
【請求項１０】
情報を表示する表示部と、前記表示部の前面に配され、後方の表示部が表示する情報を前面に透過するとともに、外部からの入力を検出する入力検出部とを備えたタッチパネル型情報処理端末において、
前記タッチパネルに対する前記外部からの入力を検出するステップと、
前記タッチパネルに表示したソフトキーへの入力であるか判定するステップと、
前記タッチパネルに表示したソフトキーへの入力であると判定した場合に、前記ソフトキーへの入力に基づき、前記表示部に対する第１の表示処理と第２の表示処理のいずれかを選択するステップと、
を含むことを特徴とするキー入力方法。
【請求項１１】
前記第１の表示処理は、前記表示部に含まれ情報を縦方向に表示する第１の表示領域に対する表示処理であり、前記第２の表示処理は、前記表示部に含まれ情報を横方向に表示する第２の表示領域に対する表示処理であることを特徴とする請求項１０記載のキー入力方法。
【請求項１２】
前記第１の表示処理と前記第２の表示処理を選択するステップは、
前記ソフトキーへの入力を４方向のいずれの入力かを決定するステップと、
該４方向の内、任意の２方向に該当する場合には前記第１の表示処理を選択するステップと、
該任意の２方向以外に該当する場合には前記第２の表示処理を選択するステップを更に含むことを特徴とする１０記載のキー入力方法。
【請求項１３】
前記ソフトキーが前記表示部に表示されていない場合において、前記表示部の任意の位置に対する入力がなされた場合に、該入力された領域の近傍に、ソフトキーを表示するステップを更に含むことを特徴とする請求項１０記載のキー入力方法。
【請求項１４】
前記ソフトキーが前記表示部に表示されている場合において、前記ソフトキー以外の領域に対する入力がなされた場合に、既に表示されている前記ソフトキーを消去するステップを更に含むことを特徴とする請求項１０記載のキー入力方法。
【請求項１５】
前記ソフトキーへ入力された始点、終点の情報を基に、前記始点と終点の間の距離が所定の閾値以上である場合にベクトル情報を持つベクトルキーであると判定し、
前記始点と終点の間の距離が所定の閾値未満である場合に当該入力を４方向のいずれかの入力に変換する４方向キーであると判定するステップを更に含むことを特徴とする請求項１０記載のキー入力方法。
【請求項１６】
前記ソフトキーの判定において、前記４方向キーであると判定した場合には１画面分移動した場所に存在する情報を表示する前記第１の表示処理を実施し、
前記ソフトキーの判定において、前記ベクトルキーであると判定した場合には複数画面分移動した場所に存在する情報を表示する前記第２の表示処理を実施するステップを更に含むことを特徴とする請求項１５記載のキー入力方法。
【発明の詳細な説明】
【技術分野】
【０００１】
本発明は、タッチパネル型情報処理端末、及びキー入力方法に関し、特に情報処理端末に備えられたタッチパネルを用いたキー入力により、表示された単一のソフトキーを操作し、複数の表示画面に対する操作を行えるようにしたタッチパネル型情報処理端末、及びキー入力方法に関する。
【背景技術】
【０００２】
近年、携帯電話やデジタルスチルカメラなど、特に小型の情報処理端末は高機能化が進み、目覚ましい発展を遂げている。特に携帯電話は音声通話機能のみを有する単機能端末から、インターネット接続機能や音楽プレーヤ機能、静止画／動画撮影機能などが組み合わされた複合情報処理端末に進化し、劇的にその位置づけが変化してきている。
【０００３】
従来、携帯電話などの小型情報処理端末は、入力装置としてテンキーなどの物理的なボタンを端末に備えていた。このような入力装置は、端末の大きさにより実装できるボタンの数が限られる。従来のような単機能の端末であれば少数のボタンでもユーザが不自由を感じることなく端末を操作することが可能であったが、近年の複合的な機能を持つ情報処理端末を限られた少数のボタンで操作させようとすると、複数のボタンを組み合わせて使用するなど、ユーザに複雑なボタン操作を要求することになり、操作に時間がかかる、あるいは操作手順が複雑でユーザが憶えられないなどの問題が生じる。
【０００４】
この問題を解決する一つの方法として、近年、情報処理装置の入力装置にタッチパネル型の入力装置が採用されるケースが増加している。タッチパネルは液晶パネルのような表示装置と、表示装置上の任意の点をペンや指でタッチすることによりその位置情報を検出するタッチパッドのような位置情報検出装置を組み合わせたものである。タッチパネルは透明な素子で構成されており、表示装置の前面に配置して、表示装置上の表示画面を透過してタッチパネルを通して表示画面が見えるようになっている。このようなタッチパネルは、表示装置の画面全体を１つあるいは複数のボタンとして使用することが出来ることから、従来の物理的なボタンに比べ、より多機能で直感的な入力装置を実現することができる。
【０００５】
一方、情報処理端末の表示装置として、近年電子ペーパーが注目されている。電子ペーパーとは、広義には紙のような感覚で利用できる、柔らかい素材の極薄の表示装置のことを意味する。その中でも蛍光灯や太陽光などの光を反射させて画面を表示する反射型表示装置は、画面内容を変化させる時にのみ電力を消費するため消費電力が小さく、電源を切っても表示を維持でき、液晶パネルなどに比べて軽量であるなどの特長を持ち、特に小型の情報処理端末の表示装置に適している。
【０００６】
現在、このような電子ペーパーに該当する技術は複数の方式が存在するが、基本的には表層の表示デバイスに特徴を有している。例えば電気泳動方式では、表示デバイスの構造として薄いフィルム上にナノメートル単位のマイクロカプセルが敷き詰められたようなものになっており、個々のカプセルは液体で満たされ、その中で白黒の微粒子が浮遊している。白い微粒子は正に荷電されており、また黒い微粒子は負に荷電されている。ここでマイクロカプセルに負の電界をかけると、白い粒子はカプセルの上部に移動し、同時に黒い粒子は逆の電界によってマイクロカプセルの底部に引き付けられる。このため、マイクロカプセルを上部から見ると、白い粒子に隠れて黒い粒子が見えなくなるため、マイクロカプセルは白く見える。逆にマイクロカプセルに正の電界をかけると、マイクロカプセルは黒く見える。そのため、このような電気泳動方式の電子ペーパーは、表示デバイスの上部と下部とに透明電極を配置して構成されている。電極を格子状に形成し、表示する図形に合わせて、各位置の上部電極及び下部電極の正負を選択することにより、文字や画像の表示が可能となる。
【０００７】
近年、電子ペーパーを用いた情報処理端末として、書籍表示端末、新聞表示端末などが商品化されている。これらの端末では主に文書データを画面に表示してユーザが閲覧するという機能を実現するものであり、液晶パネルなどよりも紙に近く目に優しい電子ペーパーの特長が活かせる商品分野となっている。これらの端末は、基本的には従来の本や雑誌、新聞などの紙媒体のメディアをデジタル化したものである。そのため、紙媒体同様、自宅や会社などで読まれるだけではなく、通勤電車や車の中、外出先の喫茶店など、様々な場所で読まれる可能性があり、据え置き型端末ではなく携帯型端末として実現されている場合が多い。その際、例えば通勤電車などにおいて片手で端末を持ちながら文書データを閲覧する場合、片手で扱える程度の簡便な入力により端末を操作できるようにする必要がある。
【０００８】
従来、複数の機能を持つ端末への入力を容易にする方法として、タッチパネルと操作ボタンを組み合わせた画像印刷装置が提案されている（例えば、特許文献１参照）。この画像印刷装置では、入力装置としてタッチパネルと複数の操作ボタンの両方を備えている。ユーザがタッチパネルによる第１の指示と、操作ボタンによる第２の指示を行い、その組み合わせを判定して、異なる組み合わせに異なる処理種別を割り当てることにより、単純な入力操作で複数の処理を実施することを可能としている。
【先行技術文献】
【特許文献】
【０００９】
【特許文献１】特開２００８−１７６３５１号公報
【発明の概要】
【発明が解決しようとする課題】
【００１０】
上記の技術は、タッチパネルの操作と、操作ボタンの操作の両方をユーザが行う必要がある。タッチパネル上には操作ボタンが配置できないことから、必然的にこれら２つの入力装置は物理的に離れた場所に配置せざるを得ず、ユーザが入力する際には、これら２つの物理的に離れた場所の間で指を移動させる必要がある。この指の移動は、画像印刷装置のような据え置き型の情報処理端末の場合には問題にならないが、書籍表示端末や新聞表示端末など、携帯型の情報処理端末において片手で持ちながら操作を行う際には指の稼動範囲が限られることから自由に操作が行えないという問題が生じる。
【００１１】
本発明では上記問題点に鑑み、書籍表示端末や新聞表示端末などの携帯型情報処理端末において、タッチパネル上でタッチされた任意の位置にソフトキーの表示を行い、且つ、１つのソフトキーに複数の処理種別を割り当てることにより、端末への入力処理を容易にする、タッチパネル型情報処理端末、及びキー入力方法を提供することを目的とする。
【課題を解決するための手段】
【００１２】
本発明のタッチパネル型情報処理端末は、情報を表示する表示部と、前記表示部の前面に配され、後方の表示部が表示する情報を前面に透過するとともに、外部からの入力を検出する入力検出部（タッチパネル）と、前記外部からの入力を検出すると、前記タッチパネルへの入力があった領域の近傍に、入力案内表示（ソフトキー）を表示すると共に、前記ソフトキーへの入力に基づき前記表示部に表示する情報を変更する表示処理部と、前記ソフトキーへの入力に基づき、前記表示部に対する第１の表示処理と第２の表示処理のいずれかを選択し、前記表示部に表示処理を指示する入力判定処理部と、を備えることを特徴とする。
【００１３】
また、情報を縦方向に表示する第１の表示領域と、情報を横方向に表示する第２の表示領域の少なくとも２つの表示領域を前記表示部に備え、前記ソフトキーに対する入力を基に、前記第１の表示領域に対する前記第１の表示処理を実施するか、あるいは前記第２の表示領域に対する前記第２の表示処理を実施するかを決定するようにすると良い。
【００１４】
より具体的には、前記第１の表示領域に新聞記事のダイジェスト情報などの対象情報の概要を示す情報を表示し、前記第２の表示領域に新聞記事本文などの対象情報の詳細内容を示す情報を表示し、前記ソフトキーに対する入力を４方向のいずれの入力かを決定すると共に、任意の２方向に対する入力であれば前記第１の表示領域に対する表示処理を実施し、前記任意の２方向以外に対する入力であれば前記第２の表示領域に対する表示処理を実施するようにすると良い。
【００１５】
また別の形態として、前記ソフトキーに対する入力を、その始点、終点の情報を基にベクトル情報を持つベクトルキー、あるいは４方向のいずれの入力に変換する４方向キーのいずれかに決定し、前記ベクトルキーであれば複数画面分移動した場所に存在する情報を表示し、前記４方向キーであれば１画面分移動した場所に存在する情報を表示させるようにしても良い。
【００１６】
本発明のキー入力方法は、情報を表示する表示部と、前記表示部の前面に配され、後方の表示部が表示する情報を前面に透過するとともに、外部からの入力を検出する入力検出部（タッチパネル）とを備えたタッチパネル型情報処理端末におけるキー入力方法であって、前記タッチパネルに対する前記外部からの入力を検出するステップと、前記タッチパネルに表示した入力案内表示（ソフトキー）への入力であるか判定するステップと、前記タッチパネルに表示したソフトキーへの入力であると判定した場合に、前記ソフトキーへの入力に基づき、前記表示部に対する第１の表示処理と第２の表示処理のいずれかを選択するステップとを含むことを特徴とする。
【００１７】
ここで、前記第１の表示処理は、前記表示部に含まれ情報を縦方向に表示する第１の表示領域に対する表示処理であり、前記第２の表示処理は、前記表示部に含まれ情報を横方向に表示する第２の表示領域に対する表示処理である。
【００１８】
また、前記第１の表示処理と前記第２の表示処理を選択するステップは、前記ソフトキーへの入力を４方向のいずれの入力かを決定するステップと、該４方向の内、任意の２方向に該当する場合には前記第１の表示処理を選択するステップと、該任意の２方向以外に該当する場合には前記第２の表示処理を選択するステップを更に含むようにしても良い。
【００１９】
また別の形態として、前記ソフトキーに対する入力を、その始点、終点の情報を基にベクトル情報を持つベクトルキー、あるいは４方向のいずれの入力に変換する４方向キーのいずれかに決定し、前記ベクトルキーであれば複数画面分移動した場所に存在する情報を表示し、前記４方向キーであれば１画面分移動した場所に存在する情報を表示させるステップを含むようにしても良い。この場合、前記第１の表示処理、前記第２の表示処理は、前記１画面分の移動表示処理、前記複数画面分の移動表示処理に該当する。
【発明の効果】
【００２０】
本発明によれば、書籍表示端末や新聞表示端末などの携帯型情報処理端末において、端末への入力処理を容易にし、片手でも快適に操作することが可能なタッチパネル型情報処理端末を実現することが可能となる。
【図面の簡単な説明】
【００２１】
【図１】本発明の実施の形態１における情報処理端末の構成を示した説明図
【図２】本発明の実施の形態１における情報処理端末の外観の一例を示した説明図
【図３】本発明の実施の形態１におけるソフトキーの一例を示した説明図
【図４】本発明の実施の形態１におけるタッチパネル入力判定処理手順を示したフローチャート
【図５】本発明の実施の形態１におけるソフトキー削除処理手順を示したフローチャート
【図６】本発明の実施の形態１におけるソフトキー表示処理手順を示したフローチャート
【図７】本発明の実施の形態１における記事移動処理手順を示したフローチャート
【図８】本発明の実施の形態１における記事移動処理前の情報処理端末の状態の一例を示した説明図
【図９】本発明の実施の形態１における記事移動処理後の情報処理端末の状態の一例を示した説明図
【図１０】本発明の実施の形態１におけるページスクロール処理手順を示したフローチャート
【図１１】本発明の実施の形態１におけるページスクロール処理前の情報処理端末の状態の一例を示した説明図
【図１２】本発明の実施の形態１におけるページスクロール処理後の情報処理端末の状態の一例を示した説明図
【図１３】本発明の実施の形態２における情報処理端末の構成を示した説明図
【図１４】本発明の実施の形態２における４方向キーの一例を示した説明図
【図１５】本発明の実施の形態２におけるベクトルキーの一例を示した説明図
【図１６】本発明の実施の形態２におけるタッチパネル入力判定処理手順を示したフローチャート
【図１７】本発明の実施の形態２におけるキー種別判定処理手順を示したフローチャート
【発明を実施するための形態】
【００２２】
（実施の形態１）
図１は本実施の形態における情報処理端末の構成図である。本発明における情報処理端末としては、携帯電話や書籍表示端末、新聞表示端末などが挙げられる。この内、本実施の形態では、新聞記事データを表示しユーザが閲覧する新聞表示端末を一例として説明する。図１において情報処理端末１は、ＣＰＵ１１、ＲＡＭ１２、ＲＯＭ１３、コンテンツ格納部１４、タッチパネル制御部１５、タッチパネル１６、表示制御部１７、表示部１８を含む。
【００２３】
コンテンツ格納部１４には情報処理端末１が扱うコンテンツデータ１００が格納されており、新聞表示端末の場合、コンテンツデータ１００は新聞記事や関連する写真や図、テレビ欄に表示するためのテレビ番組情報などに該当する。また、コンテンツ格納部１４は、フラッシュメモリやハードディスクなどの内蔵型情報記録媒体や、メモリーカードや光ディスクなどのリムーバブル記録媒体などにより構成される。
【００２４】
タッチパネル１６は指先と導電膜との間の静電容量の変化を捉えて位置を検出する静電容量方式のタッチパネルなど、タッチされた任意の位置を検出可能なパネル装置により構成される。タッチパネル制御部１５はタッチパネル１６を制御するコントローラＬＳＩなどにより構成される。
【００２５】
表示部１８は電子泳動方式などの電子ペーパーなどにより構成される。表示部１８は更にそれぞれ異なる種類の情報を表示する、第１の表示領域１１０と第２の表示領域１１１から構成される。各領域の違いについては後述する。
【００２６】
表示制御部１７は表示部１８を制御するコントローラＬＳＩなどにより構成される。またタッチパネル１６は薄膜で構成されており、実際には表示部１８の上に貼り付けられて、表示部１８とタッチパネル１６があたかも一体の部品であるかのように構成される。
【００２７】
ＲＯＭ１３には情報処理端末１を制御するプログラムが格納されており、このプログラムはＲＡＭ１２を一時記憶領域として使用し、ＣＰＵ１１上で動作する。ＲＯＭ１３は更に、タッチパネル入力判定処理部１２０、第１の表示処理部１２１、第２の表示処理部１２２、コンテンツデータ取得処理部１２３、表示データ生成処理部１２４を含む。
【００２８】
タッチパネル入力判定処理部１２０はタッチパネル１６から取得したタッチ位置に関する情報を基にユーザが第１の表示領域１１０、第２の表示領域１１１のいずれに対する操作を実施したのか判定し、各々第１の表示処理部１２１、第２の表示処理部１２２のいずれかを呼び出す。第１の表示処理部１２１、第２の表示処理部１２２は各々第１の表示領域１１０、第２の表示領域１１１に対する制御処理を行う。
【００２９】
コンテンツデータ取得処理部１２３は、第１の表示処理部１２１、第２の表示処理部１２２からの要求に基づき、コンテンツ格納部１４から所望のコンテンツデータ１００を取得する処理を行う。表示データ生成処理部１２４は、第１の表示処理部１２１、第２の表示処理部１２２からの要求に基づき、表示部１８に表示するイメージデータの生成処理を行う。
【００３０】
本発明では、表示部１８内の表示領域を第１の表示領域１１０、第２の表示領域１１１に分割し、タッチパネルに入力された操作を前記２つのいずれの表示領域に対して行われたものか否かをタッチパネル入力判定処理部１２０により判定し、各々第１の表示処理部１２１、第２の表示処理部１２２を呼び分ける。これにより、タッチパネルに対する簡単な入力操作を基に、複数の表示領域の操作を実現し、入力操作の容易化を実現している。
【００３１】
続いて、本実施の形態における、情報処理端末１の外観について図２を用いて説明する。図２は本発明の実施の形態１における情報処理端末１の外観の一例を示した図である。図２において、情報処理端末１の中央に存在する矩形領域は表示部１８を示している。また、この表示部１８はタッチパネル１６と貼り合わされており、タッチパネル１６も同様にこの矩形領域内に存在している。タッチパネル１６は表示部１８の全面ではなく一部の領域にのみ貼り付けられる場合もあるが、本実施の形態では、表示部１８の全面に貼り付けられている場合の例について説明する。
【００３２】
図２の上記矩形領域は第１の表示領域１１０、及び第２の表示領域１１１に区切られている。これら２つの領域は各々異なる情報を表示するための領域であり、新聞表示端末の場合、例えば第１の表示領域１１０には新聞記事を数行で表現したダイジェスト記事を複数表示し、第２の表示領域１１１に新聞記事の本文を表示するというような使い分けが考えられる。このような表示にすることにより、ユーザは新聞記事の本文を閲覧すると共に、その他の記事にどのようなニュースが記載されているのか概ね把握することができ、実際の紙媒体での新聞を読むのに近い感覚で新聞表示端末を使うことが可能となる。また、１つの新聞記事が第２の表示領域１１１に表示しきれない場合には、画面をスクロールさせる必要があり、そのために現在表示されているページに対する情報をページ番号表示領域２００に表示させるようにすると、利便性が向上する。図２のページ番号表示領域２００では、「１／２」と表示されており、現在表示されている記事が２ページからなる記事であり、現在１ページ目が表示されていることを意味している。
【００３３】
この情報処理端末１を片手で持ち使用する場合、例えば端末の右下部分を右手で持つ場合、持ち手である右手のみで操作しようとすれば、情報処理端末１の右下の点線範囲であるタッチ可能範囲１（２０１）が右手の親指でタッチ可能な範囲となる。同様に情報処理端末１を左手で持つ場合、タッチ可能範囲２（２０２）が左手の親指でタッチ可能な範囲となる。このように、情報処理端末１を片手のみで持って操作する場合には、タッチ可能な範囲が限定されるため、この範囲で適切に入力操作を実施できるようにする必要がある。本実施の形態における情報処理端末１では、右手で持つ場合、左手で持つ場合、あるいは表示部１８の任意の位置をタッチして使用する場合のいずれにも対応できるよう、表示部１８内のタッチされた位置に入力操作用のソフトキーを表示させるようにする。
【００３４】
図３は表示部１８に表示されるソフトキー２１０の一例を示した図である。本発明の実施の形態では、表示部１８の任意の位置にソフトキー２１０を表示する。ソフトキー２１０は更にソフトキー領域＃１（２１１）〜ソフトキー領域＃４（２１４）の４つの領域から構成されており、ソフトキー２１０表示後、ユーザによりソフトキー２１０がタッチされた場合、前記４つの領域のいずれの領域がタッチされたか検出できるようにする。
【００３５】
本実施の形態では、第１の表示領域１１０は左右にのみスクロール可能なように表示データを限定し、第２の表示領域１１１は上下にのみスクロール可能なように表示データを限定すると共に、ソフトキー２１０内のソフトキー領域＃１（２１１）、ソフトキー領域＃２（２１２）を第２の表示領域１１１のスクロール操作に割り当て、ソフトキー２１０内のソフトキー領域＃３（２１３）、ソフトキー領域＃４（２１４）を第１の表示領域１１０のスクロール操作に割り当てる。
【００３６】
これにより１つのソフトキー２１０により、第１の表示領域１１０、第２の表示領域１１１の両方を制御することができ、１つのソフトキー２１０に対する簡単な入力操作のみで両方の表示領域を制御することが可能となる。更にソフトキー２１０をタッチ可能範囲１（２０１）、タッチ可能範囲２（２０２）などの限られた範囲に表示することができ、親指のみで容易に入力操作を行うことが可能となる。
【００３７】
続いて、図４を用いて本実施の形態におけるタッチパネル入力判定処理部１２０の処理手順について説明する。タッチパネル入力判定処理部１２０は、タッチパネル制御部１５を介してタッチパネル１６に対して入力された情報を取得し、２つの表示処理部を呼び分ける処理を行う。
【００３８】
（Ｓ４０１）タッチパネル制御部１５より、タッチパネル１６へ入力された情報を取得する。具体的には、タッチパネル１６でタッチされた位置を示す座標情報や押された強さ、押されたのか離されたのかを示す情報、入力を検出した時点の時刻情報などが情報として存在する。本発明の実施の形態１では、これら情報の内、特に指が離されたことを検出した際の座標情報をタッチ位置情報として使用するものとする。
【００３９】
（Ｓ４０２）ソフトキー２１０が既に表示部１８に表示されているか否かを判定する。既にソフトキー２１０が表示されている場合Ｓ４０６の処理に進む。またソフトキー２１０が表示されていない場合Ｓ４０３の処理に進む。
【００４０】
（Ｓ４０３）ソフトキー２１０が表示部１８に表示されていない場合、Ｓ４０１で取得したタッチ位置情報を基に、タッチされた位置が第１の表示領域１１０に含まれるか否かを判定する。タッチされた位置が第１の表示領域１１０に含まれる場合、Ｓ４０４の処理に進む。またタッチされた位置が第１の表示領域１１０に含まれない場合、Ｓ４０５の処理に進む。
【００４１】
（Ｓ４０４）Ｓ４０１で取得したタッチ位置情報を基にソフトキー表示位置情報を生成し、第１の表示処理部にソフトキー表示位置情報を通知すると共にソフトキー２１０の表示を指示し、処理を終了する。ここでソフトキー表示位置情報とは、ソフトキー２１０を表示する際の位置に関する情報であり、例えばタッチ位置情報が第１の表示領域１１０の中央付近を示している場合には、タッチ位置情報がそのままソフトキー表示位置情報となる。逆にタッチ位置情報が第１の表示領域１１０の端付近を示している場合には、タッチされた位置にそのままソフトキー２１０を表示すると第１の表示領域１１０からはみ出してしまうことから、第１の表示領域１１０の中央付近に少し位置を補正してソフトキー表示位置情報を生成する。
【００４２】
（Ｓ４０５）Ｓ４０１で取得したタッチ位置情報を基にソフトキー表示位置情報を生成し、第２の表示処理部にソフトキー表示位置情報を通知すると共にソフトキー２１０の表示を指示し、処理を終了する。ソフトキー表示位置情報は、Ｓ４０４で説明した情報と同様の情報であるが、Ｓ４０４とは、対象領域が第１の表示領域１１０ではなく第２の表示領域１１１である点が異なる。
【００４３】
（Ｓ４０６）Ｓ４０２の判定処理において、ソフトキー２１０が表示部１８に表示されていると判定した場合、Ｓ４０１で取得したタッチ位置情報を基に、タッチされた位置がソフトキー２１０の内部であるか否かを判定する。タッチされた位置がソフトキー２１０の内部であると判定した場合Ｓ４１０の処理に進む。またタッチされた位置がソフトキー２１０の外部であると判定した場合Ｓ４０７の処理に進む。
【００４４】
（Ｓ４０７）Ｓ４０６の判定処理において、タッチされた位置がソフトキー２１０の外部であると判定した場合、ソフトキー２１０が第１の表示領域１１０内に存在するか否かを判定する。ソフトキー２１０が第１の表示領域１１０内に存在すると判定した場合Ｓ４０８の処理に進む。また、ソフトキー２１０が第１の表示領域１１０外に存在すると判定した場合Ｓ４０９の処理に進む。
【００４５】
（Ｓ４０８）Ｓ４０７の判定処理において、ソフトキー２１０が第１の表示領域１１０内に存在すると判定した場合、第１の表示処理部１２１にソフトキー２１０の削除を指示する。またソフトキー２１０の削除が完了した後は、Ｓ４０３の処理に進む。
【００４６】
（Ｓ４０９）Ｓ４０７の判定処理において、ソフトキー２１０が第１の表示領域１１０外に存在すると判定した場合、第２の表示処理部１２２にソフトキー２１０の削除を指示する。またソフトキー２１０の削除が完了した後は、Ｓ４０３の処理に進む。
【００４７】
（Ｓ４１０）Ｓ４０６の判定処理において、タッチされた位置がソフトキー２１０の内部であると判定した場合、ソフトキー２１０内の押された位置が左右キーに相当するか否か判定する。具体的には、図３のソフトキー２１０の構成において、ソフトキー領域＃３（２１３）あるいはソフトキー領域＃４（２１４）の領域がタッチされた場合は左右キーに相当する箇所がタッチされたと判定する。この判定処理において左右キーがタッチされたと判定した場合Ｓ４１１の処理に進む。また、この判定処理において左右キーがタッチされなかった（すなわち上下キーがタッチされた）と判定した場合Ｓ４１２の処理に進む。
【００４８】
（Ｓ４１１）Ｓ４１０の判定処理において、左右キーがタッチされたと判定した場合、第１の表示処理部１２１に記事の移動を指示し、処理を終了する。
【００４９】
（Ｓ４１２）Ｓ４１０の判定処理において、上下キーがタッチされたと判定した場合、第２の表示処理部１２２にページスクロールを指示し、処理を終了する。
【００５０】
以上、図４を用いて説明したように、本発明の実施の形態１におけるタッチパネル入力判定処理部１２０では、タッチパネル制御部１５を介してタッチパネル１６に対して入力された情報を取得し、第１の表示処理部１２１、あるいは第２の表示処理部１２２のいずれかを呼び出し、ソフトキーの削除処理、ソフトキーの表示処理、記事移動処理、ページスクロール処理のいずれかを実行させる。
【００５１】
続いて、図５を用いてソフトキーの削除処理手順について説明する。本処理は、図４のＳ４０８、Ｓ４０９においてタッチパネル入力判定処理部１２０が第１の表示処理部１２１、あるいは第２の表示処理部１２２に指示するものである。実際には表示対象領域が異なるものの、第１の表示処理部１２１、第２の表示処理部１２２が実施する処理内容はほぼ同じため、ここでは両処理部をまとめて説明する。
【００５２】
（Ｓ５０１）ソフトキー２１０を表示している領域に関する位置情報を確認する。ソフトキー２１０の表示処理は本ソフトキー削除処理手順の処理主体である第１の表示処理部１２１、第２の表示処理部１２２が管理しているため、既に表示しているソフトキー２１０の位置情報は同処理部が保持していることを想定する。また、表示しているソフトキー２１０の下に存在する元イメージデータについても同処理部が保持していることを想定する。
【００５３】
（Ｓ５０２）ソフトキー２１０を表示している領域の下に存在する元イメージデータを管理対象の表示領域（第１の表示領域１１０、第２の表示領域１１１）に表示する。これによりソフトキー２１０が表示されていた領域に別の元データが上書き描画され、あたかもソフトキー２１０が削除したかのように表示される。
【００５４】
続いて、図６を用いてソフトキーの表示処理手順について説明する。本処理は、図４のＳ４０４、Ｓ４０５においてタッチパネル入力判定処理部１２０が第１の表示処理部１２１、あるいは第２の表示処理部１２２に指示するものである。実際には表示対象領域が異なるものの、第１の表示処理部１２１、第２の表示処理部１２２が実施する処理内容はほぼ同じため、ここでは両処理部をまとめて説明する。
【００５５】
（Ｓ６０１）ソフトキー２１０を表示する領域に関する位置情報を確認する。本位置情報はソフトキー表示位置情報として、タッチパネル入力判定処理部１２０から通知される情報である。
【００５６】
（Ｓ６０２）Ｓ６０１で確認したソフトキー２１０を表示する領域に存在する現在のイメージデータをＲＡＭ１２上のワーク領域に退避する。このイメージデータは図５のＳ５０２で説明した処理における元イメージデータとして使用する。
【００５７】
（Ｓ６０３）ソフトキー２１０のイメージデータをＳ６０１で確認したソフトキー２１０を表示する領域に表示する。これによりソフトキー２１０が表示部１８に表示され、ソフトキー２１０を使用することができる状態となる。
【００５８】
続いて、図７を用いて記事移動処理手順について説明する。本処理は、図４のＳ４１１においてタッチパネル入力判定処理部１２０が第１の表示処理部１２１に指示するものである。記事移動とは、第１の表示領域１１０に表示されているダイジェストを基に、現在選択されている記事から別の記事へ移動することを意味する。この場合、第１の表示領域１１０における選択済みのダイジェストを示す表示を更新すると共に、第２の表示領域１１１における記事本文の表示を更新する必要がある。
【００５９】
（Ｓ７０１）第１の表示領域１１０に表示しているダイジェストデータを入れ替える必要があるか確認する。例えば、現在右から順に＃１から＃４までの４つのダイジェストを表示している場合において、現在＃１のダイジェストが選択されており右方向のキーが押された場合、あるいは現在＃４のダイジェストが選択されており左方向のキーが押された場合、現在表示している＃１から＃４のダイジェストの代わりに、それぞれのダイジェストの前後に存在する別のダイジェストを表示する必要がある。このような場合にダイジェストデータの入れ替えが発生するものと判定する。ダイジェストデータの入れ替えが発生すると判定した場合Ｓ７０２の処理に進む。またダイジェストデータの入れ替えが発生しないと判定した場合Ｓ７０４の処理に進む。
【００６０】
（Ｓ７０２）Ｓ７０１の判定処理において、ダイジェストデータの入れ替えが発生すると判定した場合、第１の表示処理部１２１は、コンテンツデータ取得処理部１２３に対して新しいダイジェストデータの取得を指示する。これによりコンテンツデータ取得処理部１２３はコンテンツ格納部１４に格納されたコンテンツデータ１００から、該当するダイジェストデータを取得し、第１の表示処理部１２１にデータを送信する。
【００６１】
（Ｓ７０３）第１の表示処理部１２１は、Ｓ７０２の処理において取得した新しいダイジェストデータを表示データ生成処理部１２４に送信し、ダイジェストデータの表示イメージ生成を指示する。これにより表示データ生成処理部１２４は、送信されたダイジェストデータを基に表示イメージデータを生成し、所定のワークメモリに格納し、第１の表示処理部１２１に通知する。ここで所定のワークメモリとはＲＡＭ１２上の一部の領域であっても良いし、表示部１８に表示するイメージデータを受け渡しするための専用のグラフィックメモリであっても良い。
【００６２】
（Ｓ７０４）第１の表示処理部１２１は、第２の表示処理部１２２に対して、コンテンツデータ取得処理部１２３を経由して新しい記事本文データを取得するよう指示する。これにより第２の表示処理部１２２はコンテンツデータ取得処理部１２３を経由してコンテンツ格納部１４に格納されたコンテンツデータ１００から、該当する記事本文データを取得し、第１の表示処理部１２１に処理完了を通知する。
【００６３】
（Ｓ７０５）同様に第１の表示処理部１２１は、Ｓ７０４の処理において取得した新しい記事本文データを基に記事本文データの表示イメージを生成するよう指示する。処理内容はＳ７０３と同等であるため、詳細な説明は割愛する。尚、Ｓ７０４、Ｓ７０５の処理は第１の表示処理部１２１から第２の表示処理部１２２へ個別に指示されても良いし、一括した処理として指示されても良い。
【００６４】
（Ｓ７０６）Ｓ７０３、Ｓ７０６で生成したダイジェストデータの表示イメージデータと、記事本文データの表示イメージデータを表示部１８に描画する。この処理は第１の表示処理部１２１が一括して実施しても良いし、記事本文データの描画については第１の表示処理部１２１から第２の表示処理部に指示することにより実施しても良い。また、Ｓ７０１の判定処理においてダイジェストデータの入れ替えが不要と判定した場合においても現在選択されているダイジェストデータを変更する必要があることから、ダイジェストデータの一部の表示における背景色を変更するなど、ダイジェストデータの描画処理を実施する必要がある（図８、図９の説明で詳述する）。
【００６５】
（Ｓ７０７）ソフトキー２１０を表示する領域に存在する現在のイメージデータをＲＡＭ１２上のワーク領域に退避する。このイメージデータは図５のＳ５０２で説明した処理における元イメージデータとして使用する。
【００６６】
（Ｓ７０８）ソフトキー２１０のイメージデータを表示する。
【００６７】
以上、図７で説明した記事移動処理が実施された場合の情報処理端末１の表示例について図８、図９を用いて説明する。
【００６８】
図８は記事移動処理前の情報処理端末１の状態の一例を示した図である。図８では、ダイジェスト＃１の記事が選択された状態であり、このダイジェストに該当する記事本文が表示されている。本発明の実施の形態１では、選択されたダイジェストの背景色は灰色で表示されるものとする。そのため、図８において現在選択されているダイジェスト＃１は灰色で表示されている。また、ページ番号表示領域２００は、この記事本文が２ページから構成されており、その１ページ目が現在表示されていることを示している。更に図８の状態ではソフトキー２１０が既に表示されている状態を示している。
【００６９】
この状態でソフトキー２１０内のソフトキー領域＃３（２１３）がタッチされた場合、図９の状態に遷移する。図９はダイジェスト＃２が選択された状態であり、図８に比べて、一つ左の記事に移動したことになる。図９において灰色表示されているのはダイジェスト＃１ではなくダイジェスト＃２に変化している。このようにダイジェストデータの入れ替えが発生しなくても背景色の変更処理は実施される。
【００７０】
同様に図９の状態においてソフトキー２１０内のソフトキー領域＃４（２１４）がタッチされた場合、図８の状態に遷移する。このようにソフトキー２１０内の左右キーには第１の表示領域１１０に対する記事移動処理が割り当てられており、ユーザはソフトキー２１０内のこれら左右キーを用いて、第１の表示領域１１０に対する入力操作を実施することができる。
【００７１】
続いて、図１０を用いてページスクロール処理手順について説明する。本処理は、図４のＳ４１２においてタッチパネル入力判定処理部１２０が第２の表示処理部１２２に指示するものである。ページスクロールとは、第２の表示領域１１１に表示されている記事本文を前後のページに上下にスクロールさせることを意味する。
【００７２】
（Ｓ１００１）指示されたページスクロールが有効なものであるか否かを判定する。例えば１ページ目を表示している状態において上（前ページ）にスクロールするという指示を受けた場合、それ以上スクロールさせることができないため、何もせずに処理を終了する。同様に最終ページを表示している状態において下（後ページ）にスクロールするという指示を受けた場合も、何もせずに処理を終了する。また指示されたページスクロールが有効なものであると判定した場合、S１００２の処理に進む。
【００７３】
（Ｓ１００２）Ｓ１００１において、指示されたページスクロールが有効なものであると判定した場合、第２の表示処理部１２２はコンテンツデータ取得処理部１２３に対して新しい記事本文データを取得するよう指示する。これによりコンテンツデータ取得処理部１２３はコンテンツ格納部１４に格納されたコンテンツデータ１００から、該当する記事本文データを取得し、第２の表示処理部１２２に送信する。
【００７４】
（Ｓ１００３）第２の表示処理部１２２は、Ｓ１００２において取得した記事本文データを表示データ生成処理部１２４に送信し、記事本文データの表示イメージを生成するよう指示する。これにより表示データ生成処理部１２４は、送信された記事本文データを基に表示イメージデータを生成し、所定のワークメモリに格納し、第２の表示処理部１２２に通知する。ここで所定のワークメモリとはＲＡＭ１２上の一部の領域であっても良いし、表示部１８に表示するイメージデータを受け渡しするための専用のグラフィックメモリであっても良い。
【００７５】
（Ｓ１００４）Ｓ１００３で生成した記事本文データの表示イメージデータを第２の表示領域１１１に描画する。
【００７６】
（Ｓ１００５）ソフトキー２１０を表示する領域に存在する現在のイメージデータをＲＡＭ１２上のワーク領域に退避する。このイメージデータは図５のＳ５０２で説明した処理における元イメージデータとして使用する。
【００７７】
（Ｓ１００６）ソフトキー２１０のイメージデータを表示する。
【００７８】
以上、図１０で説明したページスクロール処理が実施された場合の情報処理端末１の表示例について図１１、図１２を用いて説明する。
【００７９】
図１１はページスクロール処理前の情報処理端末１の状態の一例を示した図である。図１１では、ダイジェスト＃１の記事が選択された状態であり、このダイジェストに該当する記事本文が表示されている。また、ページ番号表示領域２００は、この記事本文が２ページから構成されており、その１ページ目が現在表示されていることを示している。更に図１１の状態ではソフトキー２１０が既に表示されている状態を示している。
【００８０】
この状態でソフトキー２１０内のソフトキー領域＃２（２１２）がタッチされた場合、図１２の状態に遷移する。図１２は図１１と同様にダイジェスト＃１が選択された状態であるが、記事本文が１ページ下にスクロールした状態を示している。図１１においてページ番号表示領域２００は、２ページ中の２ページ目が表示されていることを示す情報に変化している。また、記事本文も２ページ目の記事が表示されている。
【００８１】
同様に図１２の状態においてソフトキー２１０内のソフトキー領域＃１（２１１）がタッチされた場合、図１１の状態に遷移する。このようにソフトキー２１０内の上下キーには第２の表示領域１１１に対するページスクロール処理が割り当てられており、ユーザはソフトキー２１０内のこれら上下キーを用いて、第２の表示領域１１１に対する入力操作を実施することができる。
【００８２】
以上のように、本発明の実施の形態１における表示部１８は、第１の表示領域１１０、第２の表示領域１１１を備え、更にタッチパネル１６を備える。タッチパネル１６がタッチされた位置にソフトキー２１０を表示し、そのソフトキー２１０における左右キーに該当する領域を前記第１の表示領域１１０に対する操作に割り当て、ソフトキー２１０における上下キーに該当する領域を前記第２の表示領域１１１に対する操作に割り当てる。これにより、前記２つの表示領域に対する入力操作を１つのソフトキー２１０を用いて実現することができ、ソフトキー２１０に対する簡単な入力操作のみで２つの表示領域の両方を操作することが可能となる。
【００８３】
尚、本発明を上記の実施形態に基づいて説明してきたが、本発明は上記の実施形態に限定されないのは勿論である。本発明の趣旨を逸脱しない範囲で実施変更することができる。本実施の形態で記載された数値は一例であり、他の値を使用しても良い。例えば、一度に表示されるダイジェストの個数が４つの場合について説明したが、その他の値を用いても良い。
【００８４】
本実施の形態では、ダイジェスト／記事データの描画を実施した後に独立してソフトキー２１０の描画処理を実施する場合について説明したが、この処理手順に限定されるものではなく、ダイジェスト／記事データと併せてソフトキー２１０の描画処理を行うなど、その他の処理手順を用いても良い。
【００８５】
また、本実施の形態ではタッチパネル制御部１５、表示制御部１７をそれぞれ独立したコントローラＬＳＩで構成する場合について説明したが、ソフトウェアにより制御するようにしてＲＯＭ１３内に制御ソフトウェアを格納し、タッチパネル制御部１５、表示制御部１７を持たない構成としても良いし、これらの制御部をＣＰＵなどと一体化したＬＳＩなどで構成しても良い。
【００８６】
また、表示部１８として電子ペーパーを使用する場合について説明したが、軽量・低消費電力などの条件が電子ペーパーと比較して遜色ない場合など条件が合えば、液晶パネルや有機ＥＬパネルなど、その他の表示デバイスを使用しても良い。
【００８７】
また、携帯型情報処理端末を片手で操作する場合の例について説明したが、その他の形式でも入力操作を簡易にするという本発明の特長を享受できる端末であれば、本発明を適用することが可能である。例えば、机の天板の一部に本発明の表示部１８とタッチパネル１６を設けた、新聞記事などの閲覧用の据え置き型端末が考えられる。このような端末は自由に新聞記事の検索、閲覧ができるようにすることを目的として、図書館などに設置されることが考えられる。このような公共の場所に設置される端末は、様々な年齢層、身体条件（利き腕を怪我しているなど）を持つユーザにより使用されることが想定されるため、入力操作は可能な限り簡易化されていることが好ましい。本発明はこのような端末において適用することも可能である。
【００８８】
また、本実施の形態で説明した新聞表示端末の仕様は一例であり、その他の仕様により実現しても良い。例えば、第１の表示領域１１０にはダイジェストを表示するのではなく、新聞記事を識別する固有のＩＤを表示したり、新聞記事本文の縮小イメージを表示したりしても良い。また、ソフトキー２１０の表示可能領域を第２の表示領域１１１に限定しても良い。また、新聞社の名称や新聞の日付、広告などその他の情報を表示しても良い。更に本発明の実施の形態１で説明した情報処理端末１は新聞表示端末に限定されるものではなく、書籍表示端末や地図表示端末、静止画表示端末などに適用しても良い。
【００８９】
（実施の形態２）
続いて、本発明の別の実施の形態について説明する。図１３は、本実施の形態における情報処理端末１の構成図である。図１３が図１と異なる点は、表示部１８内の第１の表示領域１１０、第２の表示領域１１１が存在しない点、第1の表示処理部１２１、第２の表示処理部１２２が表示処理部３００に統合されている点、キー種別判定処理部３０１が追加されている点である。本実施の形態では表示部１８自体は領域分割せずに一元管理される。その代わり、キー種別判定処理部３０１により、１つのソフトキー２１０に対する入力が２種類のキー種別のいずれに対応する操作であるかが判定され、表示処理部３００に通知される。より具体的には、実施の形態１においてソフトキー２１０が上下左右の４方向キーとしてのみ動作していたのに対し、本実施の形態においてはソフトキー２１０が上下左右の４方向キーとしての動作と、押された位置から離された位置へのベクトル情報として入力情報を扱うベクトルキーとしての動作との２つのキー種別を兼ね備えたキーとして動作する。これにより、物理的には１箇所に表示される単一のソフトキー２１０に対して２種類の操作を行わせることが可能となり、簡単な入力操作により複数の処理種別を情報処理端末１に実施させることが可能となる。
【００９０】
図１４、図１５は、本発明の実施の形態２におけるソフトキー２１０の構成を示した図である。図１４は本発明の実施の形態１におけるソフトキー２１０の構成と同一であり、４方向キーとして動作する場合のソフトキー２１０の構成である。図１５は上記ベクトルキーとして動作する場合のソフトキー２１０の構成である。この場合、ソフトキー２１０内の領域は単一のソフトキー領域３１０として管理されており、入力の始点（指で押された点）、終点（指が離された点）からなるベクトル情報として入力情報を扱う。図１４、図１５のいずれのソフトキー構成により処理を行うかは、キー種別判定処理部３０１が判定する。
【００９１】
続いて、図１６を用いて本実施の形態におけるタッチパネル入力判定処理部１２０の処理手順について説明する。タッチパネル入力判定処理部１２０は、タッチパネル制御部１５を介してタッチパネル１６に対して入力された情報を取得し、その情報をキー種別判定処理部３０１に通知してキー種別の判定を実施し、その結果を表示処理部３００に通知して表示処理を実施する。尚、ここでは、実施の形態１における第２の表示領域１１１のような新聞記事の本文が表示部１８の全面に表示されている場合を想定して説明する。
【００９２】
（Ｓ１６０１）タッチパネル制御部１５より、タッチパネル１６へ入力された情報を取得する。具体的には、タッチパネル１６でタッチされた位置を示す座標情報や押された強さ、押されたのか離されたのかを示す情報、入力を検出した時点の時刻情報などが情報として存在する。本実施の形態では、これら情報の内、指で押された開始位置、指が離された終端位置の情報を使用するものとする。また、指で押され続けている場合は所定の単位時間で区切り、単位時間内の始点終点の情報を使用するものとする。例えば、地点Ａから押し始め、１秒後に地点Ｂ、更に１秒後に地点Ｃ、更に１秒後に地点Ｄまで指を離すことなく押し続け、地点Ｄで指を離した場合、所定の単位時間を１秒とした場合は、（始点＝Ａ、終点＝Ｂ）、（始点＝Ｂ、終点＝Ｃ）、（始点＝Ｃ、終点＝Ｄ）の３つの情報がタッチパネル１６へ入力された情報として使用されるものとする。
【００９３】
（Ｓ１６０２）ソフトキー２１０が既に表示部１８に表示されているか否かを判定する。既にソフトキー２１０が表示されている場合Ｓ１６０４の処理に進む。またソフトキー２１０が表示されていない場合Ｓ１６０３の処理に進む。
【００９４】
（Ｓ１６０３）ソフトキー２１０が表示部１８に表示されていない場合、Ｓ１６０１で取得したタッチ位置情報を基にソフトキー表示位置情報を生成し、表示処理部３００にソフトキー表示位置情報を通知すると共に、表示処理部３００にソフトキーの表示を指示し、処理を終了する。この際、ソフトキー表示位置情報の生成は、Ｓ１６０１で取得した終点の情報を使用するものとする。これにより指を離した位置付近にソフトキー２１０を表示することが可能となる。また、ソフトキー表示位置情報の生成方法は、図４で説明した方法と同じであるため、詳細説明は割愛する。
【００９５】
（Ｓ１６０４）Ｓ１６０２の判定処理において、ソフトキー２１０が表示部１８に表示されていると判定した場合、Ｓ１６０１で取得したタッチ位置情報を基に、タッチされた位置がソフトキー２１０の内部であるか否かを判定する。タッチされた位置がソフトキー２１０の内部であると判定した場合Ｓ１６０６の処理に進む。またタッチされた位置がソフトキー２１０の外部であると判定した場合Ｓ１６０５の処理に進む。
【００９６】
（Ｓ１６０５）Ｓ１６０４の判定処理において、タッチされた位置がソフトキー２１０の外部であると判定した場合、表示処理部３００にソフトキー２１０の削除を指示する。またソフトキー２１０の削除が完了した後は、Ｓ１６０３の処理に進む。
【００９７】
（Ｓ１６０６）Ｓ１６０４の判定処理において、タッチされた位置がソフトキー２１０の内部であると判定した場合、キー種別判定処理部３０１にタッチ位置情報を通知し、キー種別の判定を指示する。キー種別判定処理の詳細手順は後述する。
【００９８】
（Ｓ１６０７）Ｓ１６０６のキー種別判定処理の結果により、キー種別が４方向キーであると判定されたか否かを判定する。キー種別が４方向キーであると判定された場合はＳ１６０８の処理に進む。キー種別が４方向キーではないと判定された場合（すなわちベクトルキーであると判定された場合）、Ｓ１６０９の処理に進む。
【００９９】
（Ｓ１６０８）Ｓ１６０７の判定処理において、キー種別が４方向キーであると判定された場合、表示処理部３００に１画面分の記事移動を指示し、処理を終了する。
【０１００】
（Ｓ１６０９）Ｓ１６０７の判定処理において、キー種別がベクトルキーであると判定された場合、表示処理部３００に複数画面分の記事移動を指示し、処理を終了する。画面の移動量（移動ページ数）はベクトルキーとして検出したベクトル情報のサイズを基に判定する。例えば、ベクトルのサイズが５０ピクセル以下なら２ページ、５１ピクセル以上なら３ページなど、予め設定した閾値を基に移動ページ数を決定する。
【０１０１】
以上、図１６を用いて説明したように、本実施の形態におけるタッチパネル入力判定処理部１２０では、タッチパネル制御部１５を介してタッチパネル１６に対して入力された情報を取得し、キー種別判定処理部３０１を用いてキー種別の判定を行う。キー種別が４方向キーであった場合は画面の移動量を少なくし、ベクトルキーであった場合は画面の移動量を多くすることにより、一つのソフトキー２１０を用いて画面の移動量を制御する。
【０１０２】
また、ソフトキーの削除処理、ソフトキーの表示処理については実施の形態１で説明した手順と同じため、説明を割愛する。また画面移動処理は、実施の形態１で説明したページスクロール処理と同様であるため説明を割愛する。但し、実施の形態１ではページスクロールを上下方向に限定して実施していたが、本実施の形態では上下左右のいずれの方向に移動させても良い。
【０１０３】
続いて図１７を用いてキー種別判定処理部３０１におけるキー種別判定処理手順について説明する。キー種別判定処理部３０１におけるキー種別判定処理手順は次の通り。
【０１０４】
（Ｓ１７０１）タッチパネル入力判定処理部１２０より、タッチ位置情報を取得する。
【０１０５】
（Ｓ１７０２）タッチ位置情報に含まれる始点、終点の情報から移動量（ベクトルのサイズ）を求め、その値が所定の閾値以上（例えば１０ピクセル以上）であるか否かを判定する。移動量が閾値以上であると判定した場合Ｓ１７０３の処理に進む。移動量が閾値未満であると判定した場合Ｓ１７０５の処理に進む。
【０１０６】
（Ｓ１７０３）Ｓ１７０２の判定処理において、移動量が閾値以上であると判定した場合、キー種別としてベクトルキーと判定する。
【０１０７】
（Ｓ１７０４）タッチ位置情報に含まれる始点、終点の情報からベクトルの向き（上下左右など）を決定し、先に求めたベクトルのサイズと共にタッチパネル入力判定処理部１２０に通知して、処理を終了する。
【０１０８】
（Ｓ１７０５）Ｓ１７０２の判定処理において、移動量が閾値未満であると判定した場合、キー種別として４方向キーと判定する。
【０１０９】
（Ｓ１７０６）タッチ位置情報に含まれる終点の情報から４方向のいずれの方向に対応するソフトキー２１０内の位置が押されたのか決定し、タッチパネル入力判定処理部１２０に通知して、処理を終了する。
【０１１０】
以上、図１７を用いて説明したように、本実施の形態におけるキー種別判定処理部３０１は、キー種別として４方向キー、あるいはベクトルキーのいずれかに決定し、タッチパネル入力判定処理部１２０に通知する。
【０１１１】
以上のように、本実施の形態における情報処理端末１は、キー種別判定処理部３０１により、１つのソフトキー２１０に対する入力が２種類のキー種別のいずれに対応する操作であるかを判定し、表示処理部３００に通知する。より具体的には、実施の形態１においてソフトキー２１０が上下左右の４方向キーとしてのみ動作していたのに対し、本実施の形態においてはソフトキー２１０が上下左右の４方向キーとしての動作と、押された位置から離された位置へのベクトル情報として入力情報を扱うベクトルキーとしての動作との２つのキー種別を兼ね備えたキーとして動作する。これにより、物理的には１箇所に表示される単一のソフトキー２１０に対して２種類の操作を行わせることが可能となり、簡単な入力操作により複数の処理種別を情報処理端末１に実施させることが可能となる。
【０１１２】
尚、本発明を上記の実施形態に基づいて説明してきたが、本発明は上記の実施形態に限定されないのは勿論である。本発明の趣旨を逸脱しない範囲で実施変更することができる。実施の形態１で記載された種々の変形例を実施の形態２に適用しても良い。
【０１１３】
また、実施の形態２では、表示部１８には新聞記事の本文のみが表示される場合の例について説明したが、実施の形態１のように２つの表示領域に分割して管理するようにしても良い。この場合、例えばベクトルキーの左右に対応する操作がタッチパネル１６上でなされた場合、複数個のダイジェストをスキップする処理に置き換えるなどが考えられる。また、複数の記事を一つのジャンルとして管理するような場合には、ジャンル単位でスキップする処理に置き換えることも考えられる。
【産業上の利用可能性】
【０１１４】
本発明に関わる情報処理端末１は、表示部１８を備えており、表示部１８は、第１の表示領域１１０と第２の表示領域１１１の２つの表示領域に分割管理されている。また、キー入力装置としてタッチパネル１６、タッチパネル入力判定処理部１２０を備えている。タッチパネル入力判定処理部１２０は、表示部１８の任意の位置に表示されたソフトキー２１０におけるタッチ位置を基に、第１の表示処理部１２１、第２の表示処理部１２２のいずれを呼び出すか決定し、各々の表示処理部に対して表示処理を要求する。これにより、１つのソフトキー２１０に対する入力により、第１の表示領域１１０、第２の表示領域１１１の両方を操作することが可能となる。このような情報処理端末１は、表示部１８にドキュメントや地図、静止画などのデジタルコンテンツを表示する機器、例えば新聞表示端末や書籍表示端末などとして利用することができる。
【符号の説明】
【０１１５】
１    情報処理端末
１１    ＣＰＵ
１２    ＲＡＭ
１３    ＲＯＭ
１４    コンテンツ格納部
１５    タッチパネル制御部
１６    タッチパネル
１７    表示制御部
１８    表示部
１００    コンテンツデータ
１１０    第１の表示領域
１１１    第２の表示領域
１２０    タッチパネル入力判定処理部
１２１    第１の表示処理部
１２２    第２の表示処理部
１２３    コンテンツデータ取得処理部
１２４    表示データ生成処理部
２００    ページ番号表示領域
２０１，２０２    タッチ可能範囲
２１０    ソフトキー
２１１，２１２，２１３，２１４，３１０    ソフトキー領域
３００    表示処理部
３０１    キー種別判定処理部
【図１】
2011028409.tif 000003
【図２】
2011028409.tif 000004
【図３】
2011028409.tif 000005
【図４】
2011028409.tif 000006
【図５】
2011028409.tif 000007
【図６】
2011028409.tif 000008
【図７】
2011028409.tif 000009
【図８】
2011028409.tif 000010
【図９】
2011028409.tif 000011
【図１０】
2011028409.tif 000012
【図１１】
2011028409.tif 000013
【図１２】
2011028409.tif 000014
【図１３】
2011028409.tif 000015
【図１４】
2011028409.tif 000016
【図１５】
2011028409.tif 000017
【図１６】
2011028409.tif 000018
【図１７】
2011028409.tif 000019